(57)【特許請求の範囲】
【請求項１】
円筒形の容器の側面にラベルを貼るためのラベルはり機であって、
容器の側面の曲面に沿うように湾曲された台座と、
前記台座に容器をセットした状態で、容器の側面に当ててラベルを貼る位置を確認するための透光性を有するルーラーと、
前記台座とルーラーとを折曲自在につなぐ接続部と、
前記ルーラーに沿ってスライド自在に連結され、ラベルを裏面側に配置した状態で、ラベルと共に前記ルーラーに沿って移動可能としたリーダーと、
を備えることを特徴とするラベルはり機。
【請求項２】
さらに、前記ルーラーを、容器側面上に当てた状態で前記ルーラーを固定するための係止具を備えることを特徴とする請求項１に記載のラベルはり機。
【請求項３】
さらに、前記台座の角度を調整するための角度調整具を備えることを特徴とする請求項１又は２に記載のラベルはり機。
【請求項４】
さらに、前記台座を傾斜自在に連結したベースを備えており、
前記ベースは、傾斜のための傾斜軸から一定の距離を隔てて固定されたストッパを上面に複数本固定しており、
前記角度調整具が、断面視においてＬ字状の部分を有する形状に形成され、前記ストッパ同士の間に挿入可能に構成している請求項３に記載のラベルはり機。
【発明の詳細な説明】
【技術分野】
【０００１】  本発明は、円筒状の容器にラベルを貼り付けるためのラベルはり機に関するものである。
【背景技術】
【０００２】  ラベルを円筒容器に貼り付ける作業は、円筒容器の側面が平面でないことから、複数の円筒容器に対して、毎回同じ位置にラベルを貼付できるように位置合わせすることが困難である。従来、ラベルを円筒容器に貼り付ける作業は、手作業で貼り付けたり、図１０に示すように、専用の機材を用いて行われていた。後者の方法では、容器を回転させて、この容器の回転面にラベルを貼り付けたりするようにしている。以下、この装置の構成および動作を簡単に説明する。【０００３】  図１０は、従来技術に係るラベルを円筒状の容器に貼り付ける方法を示している。この図において、ラベルフープ３１は、ラベル３２を長軸の台紙上に簡単に剥がれるように配置したものである。【０００４】  ラベル３２は、円筒状の容器３６に貼り付けるラベルである。押えローラ３３は、ラベル３２を容器３６に押えるものである。台紙３４は、ラベルフープ３１からラベルを剥がした台紙である。【０００５】  台紙巻取り３５は、ラベルを剥がした台紙３４を巻き取るものである。容器３６は、円筒状のラベルを貼り付ける容器である。容器固定用ツメ３７は、円筒状の容器３６を固定するツメである。【０００６】  エアーチャック３８は、容器３６をチャックするエアーで動作するものである。以下、ラベル３２を円筒状の容器３６に貼り付ける動作を説明する。【０００７】  （１）図１０の（ａ）、（ｂ）に示すように、容器３６をエアーチャック３８にセットし、ラベルフープ３１からラベル３２を容器３６の方向に繰り出す。【０００８】  （２）図１０の（ｃ）に示すように、押えローラ３３によってラベル３２の先端を容器３６の側面に押しつけて仮付けする。【０００９】  （３）（２）の状態で、図１０の（ｄ）に示すように、容器３６を時計方向に回転させると共に、ラベルフープ３１を繰り出すおよび台紙巻取り３５によって台紙３４を巻き取ることを連動して行い、ラベル３２を円筒状の容器３６の側面の円周状に沿って押えローラ３３に押しつけて貼り付ける。【００１０】  （４）エアーチャック３８から容器を取り去り、一連のラベル貼り付けを完了する。
【先行技術文献】
【特許文献】
【００１１】
【特許文献１】特開平１０−２５８８１６号公報
【発明の概要】
【発明が解決しようとする課題】
【００１２】  ラベルを円筒容器に貼り付ける作業を手作業で行う方法では、ラベルを貼り付ける位置がばらつき、また作業工数が多くなってしまう問題がある。【００１３】  また、上述した図１０の（ａ）ないし（ｄ）に示す方法でラベルを容器に貼り付ける方法では、容器３６を回転させる等の複雑な機構が必要となり、装置の構造が複雑となって高価になるという問題があった。【００１４】  本発明は、これらの問題を解決するためになされたものである。本発明の一の目的は、円筒状の容器に簡易な構成で、かつ迅速にラベルを貼り付けることのできるラベルはり機を提供することにある。
【課題を解決するための手段】
【００１５】  本発明の一形態に係るラベルはり機は、円筒形の容器の側面にラベルを貼るためのラベルはり機であって、容器の側面の曲面に沿うように湾曲された台座と、前記台座に容器をセットした状態で、容器の側面に当ててラベルを貼る位置を確認するための透光性を有するルーラーと、前記台座とルーラーとを折曲自在につなぐ接続部と、前記ルーラーに沿ってスライド自在に連結され、ラベルを裏面側に配置した状態で、ラベルと共に前記ルーラーに沿って移動可能としたリーダーとを備える。【００１６】  さらに、前記ルーラーを、容器側面上に当てた状態で前記ルーラーを固定するための係止具を備えることができる。【００１７】  さらに、前記台座の角度を調整するための角度調整具を備えることができる。【００１８】  さらに、前記台座を傾斜自在に連結したベースを備えており、前記ベースは、傾斜のための傾斜軸から一定の距離を隔てて固定されたストッパを上面に複数本固定しており、前記角度調整具が、断面視においてＬ字状の部分を有する形状に形成され、前記ストッパ同士の間に挿入可能に構成できる。
【発明の効果】
【００１９】  以上のラベルはり機は、動力がないので安価であり、手作業でもラベルをずれずに貼ることができるという利点がある。
【図面の簡単な説明】
【００２０】
【図１】図１はラベルはり機を正面側から見た斜視図である。
【図２】図２はラベルはり機を斜め横から見た斜視図である。
【図３】図３はラベルはり機にびんを乗せ、斜め正面から見た斜視図である。
【図４】図４はラベルはり機にびんを乗せ、斜め横から見た斜視図である。
【図５】図５（ｉ）（ｉｉ）（ｉｉｉ）は角度調整具を用いて台座の角度を調節する様子を示す側面図である。
【図６】図６はラベルはり機を使ったラベルの貼り方を説明した、斜め正面から見た斜視図である。
【図７】図７はルーラーを上げた状態のラベルはり機を斜め横から見た斜視図である。
【図８】図８は図７のラベルはり機にびんを乗せた状態を斜め横から見た斜視図である。
【図９】図９は図８の状態でリーダーにラベルを重ねた状態を斜め横から見た斜視図である。
【図１０】図１０は従来技術に係る円筒状の容器にラベルを貼り付ける方法を示す図である。
【発明を実施するための形態】
【００２１】  本発明の一実施形態に係るラベルはり機を、図１〜図４に示す。これらの図に示すように、ラベルはり機は、台座１と、関節具２と、ルーラー３と、リーダー４と、係止具６と、ベース７を備えている。台座１は、円筒容器であるびんＢに沿うように湾曲させた背もたれ部分と、この円筒容器を置くための垂直な底を有する。また関節具２は、折り目を設けており、台座１と、透光性を有するルーラー３を接続している。さらにリーダー４は、ルーラー３間をスライド移動する。リーダー４は、図１に示すように、ルーラー３の外形に合わせてこの周りを一周するように接続している。
【００２２】  また係止具６は、ルーラー３の先端にはめ込んでいる。この係止具６は、図４に示すようにリーダー４をルーラー３に嵌めた状態で、びんＢの底や台座１の底に引っかかるようにＬ字型に形成している。
【００２３】  さらにベース７の詳細を図５に示す。この図に示すように、ベース７は、台座１を傾斜軸２０を支点にして傾斜自在に連結している。またベース７は、傾斜軸２０から一定の距離を隔てて固定されたストッパ８を、ベース７の上面に複数本固定している。台座１の角度を調整するため、三角形に形成している角度調整具５をストッパ８同士の間に挿入する。これにより、図５（ｉ）、（ｉｉ）に示すように、台座１は垂直に近い角度から水平に近い角度に調節することが可能になる。角度調整具は、断面視においてＬ字状の部分を有する形状に形成される。ここでは角度調整具５を三角形に限定しているが、他の形状でも構わない。また同様にストッパ８の固定数を変え、２段階以上の段階を作っても構わない。あるいは、図５（ｉｉｉ）に示すように、角度調整具５を使わずに台座１を倒した状態でも構わない。
【実施例１】
【００２４】  次に、本発明の実施例１に係るラベルはり機の詳細を、図１〜図２を参照して説明する。これらの図において、図１はラベルはり機の正面側から見た斜視図、図２は図１のラベルはり機を側面から見た斜視図を、それぞれ示している。これらの図に示すように、ラベルはり機は、台座１と、関節具２と、ルーラー３と、リーダー４と、角度調整具５と、係止具６を備えている。【００２５】  台座１は、びんＢを保持するための部材である。この台座１の形状は、びんＢに沿うように湾曲している。また、台座１の大きさは、びんの大きさに応じて設計される。さらに台座１の材質は木材等の硬く、軽い物である。この台座１の上端には、関節具２を固定している。【００２６】  関節具２は、台座１とルーラー３を接続している。台座１に置いたびんＢにラベルを貼る位置を決めるために、ルーラー３を重ねる必要がある。この際、びんＢの側面にルーラーが動かないように配置する必要がある。ただ、びんＢの側面が曲面であるため、そのままではルーラー３が不安定となる。このため、ルーラーをびんＢの側面に置いた状態でルーラー３が動かないように保持する必要がある。その一方で、ルーラー３をびんＢの側面に置けるようなルーラー３の動きも確保しなければならない。これを両立させるように、ルーラー３は硬質の材質としつつ、このルーラー３を台座１上で位置決めできるような可動性を、関節具２で与えている。このため関節具２は、可動性を有する硬質の材質で構成する。たとえば金属やプラスチック等とし、一部を折曲可能な可動部を設けた構成とする。あるいは、関節部全体を、可撓性のある材質で構成してもよい。たとえば、ゴム製や紙製等とする。【００２７】  ルーラー３は、台座１に置いたびんＢ上に重ねたとき、ラベルＬを貼る位置がルーラー３上から視認できるように、透光性を備える材質とする。たとえばプラスチックやガラス等とできる。【００２８】  リーダー４は、ルーラー３上をスライド自在に取り付けられている。これによって、図６に示すように、リーダー４で、びんＢの側面上の、ラベルＬの貼る位置を自由に決めることができ、さらに繰り返しラベルを貼る際に、同じ位置に位置決めすることが可能となる。このためリーダー４は、ルーラー３上を滑りやすい、ルーラー３との摩擦係数の小さい材質とすることが好ましい。このようなリーダー４の材質としては、紙、樹脂、金属等とできる。【００２９】  係止具６は、ルーラー３の先端に固定されている。この係止具６は、台座１に置かれたびんＢ、または台座の底に引っ掛けるための部材である。係止具６で、ルーラー３がびんＢに重ねた状態で保持されるようにすることで、リーダー４がルーラー３上をスライドしているとき、ルーラー３がびんＢの側面から離れないようできる。この結果、リーダー４を位置決めする作業を行いやすくなる。この係止具６を構成する材質は、プラスチック等の軽く、丈夫な物が好ましい。【００３０】  角度調整具５は、台座１を保持するための部材である。図４のように、ベース７にストッパ８が取り付けられており、その間に角度調整具５をはめ込むことができる。これにより、角度調整具５の上に台座１を立てかけさせて台座１を傾斜して保持できる。【００３���】  さらに、角度調整具５は台座１の角度を変えることもできる。図５の例では、ストッパ８が複数、一定間隔で離間して設けられている。これにより、ストッパ８同士の間に置かれる角度調整具５の置く位置を変えることで、置かれた位置に応じた角度に台座１が傾斜される。この構成によって、台座１の角度を、複数段階に変化することができる。角度調整具５は、台座１をその上部で支えることのできる十分な強度を有する材質で構成される。たとえば、木材や金属等とできる。【００３２】  ベース７は、この上面に台座１を傾斜自在に固定するための部材である。またベース７上には、ストッパ８を、一以上固定しており、角度調整具５の位置を変更することで、台座１の傾斜角度を変更できる。ベース７の大きさは、台座１よりも大きくする。ベース７は、安定した部材が好ましく、たとえば金属製や木製とする。【００３３】  ストッパ８は、ベース上に固定される。ストッパ８の形状は、たとえば断面視において矩形状とする。ストッパ８を構成する材質は、強度や剛性を有する材質、たとえば金属製や木製等とできる。
（ラベルはり機の使用方法）【００３４】  このラベル貼り機を用いて、びんＢにラベルＬを貼る方法を、以下説明する。まず、図７のようにルーラー３を手で持って持ち上げ、図８のように台座１の定位置にびんＢを置く。次に、図９のように、ラベルＬを、裏面側にのりが塗布されたのり部ＬＢをびんＢ側に向けた姿勢で、リーダー４の下に配置する。具体的には、ルーラー３を上げた状態で、ルーラー３上のリーダー４とびんＢの間に、ラベルＬを重ねて、ルーラー３をびんＢの上に下ろし、ルーラー３の下部を係止具６でびんＢまたは台座１の底にひっかけて係止する。このとき、図６に示したように、リーダー４をルーラー３上でスライドさせることで、ラベルの貼付位置を微調整させる。特に、ルーラー３には、目盛りが付されており、かつ透光性を有しているので、びんＢの側面の位置を視認しながら、貼付位置を調整できる。さらに、リーダー４とラベルＬを重ねたことで、リーダー４の介在によってラベルＬをリーラー３に沿って移動させやすくでき、ラベルＬの位置の微調整を行いやすくできる。なお、リーダー４とラベルＬを重ねる位置は、ラベルＬの中間位置とする。あるいは、ラベルＬの端部としてもよい。【００３５】  このようにしてラベルＬの貼付位置が決まると、ここを起点にしてラベルＬをびんＢの側面に貼り付ける。そしてルーラー３を持ち上げてびんＢを取り出す。なおラベルＬが長い場合は、びんＢを取り出してから、ラベルＬをびんＢの背面側に貼り付けると良い。【００３６】  このように本実施例に係るラベルはり機は、大型の機械を用いないのでないので、省スペースかつ安価である。また構造がシンプルなことから、設計も簡易である。また、材質はプラスチックや木材等で作成することができるため、容易に作ることができる。【００３７】  また台座１をびんＢの形に湾曲させたことで、様々な形状や大きさのびんＢに対応できる。さらに角度調整具５を用いることにより、ラベルＬを貼るときにびんＢを保持する角度を変えることができる。図５の（ｉ）（ｉｉ）（ｉｉｉ）に示す例では、３段階に調整できる。またルーラー３上をスライドするリーダー４を設けたことで、ラベルＬがびんＢに貼り付かないようにスライドさせる作業をスムーズに行うことができる。【００３８】  以上、本発明の実施形態乃至実施例を図面に基づいて説明した。ただ、上記の実施形態乃至実施例は、本発明の技術思想を具体化するための例示であって、本発明は上記のものに特定されない。また、本明細書は特許請求の範囲に示される部材を、実施形態の部材に特定するものでは決してない。特に実施形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以上の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実��することもできる。
【産業上の利用可能性】
【００３９】  本発明のラベルはり機は、みまから（徳島県美馬市の特産品である、青唐辛子をごま油で炒め、しょうゆ、みりん、かつお節を加えた薬味）等の食品のびんにラベルを貼る用途に好適に利用できる。
【符号の説明】
【００４０】１    台座
２    関節具
３    ルーラー
４    リーダー
５    角度調整具
６    係止具
７    ベース
８    ストッパ
２０  傾斜軸
３１  ラベルフープ
３２  ラベル
３３  押えローラ
３４  台紙
３５  台紙巻取り
３６  容器
３７  容器固定用ツメ
３８  エアーチャック
Ｂ    びん
Ｌ    ラベル
ＬＢ  のり部
【要約】      （修正有）【課題】円筒容器にラベルを貼る際に、大型な機械装置や複雑な機構を使用せずに、安価な素材で容易にラベルを正確な位置に貼ることを提供する。【解決手段】円筒形の容器の側面にラベルを貼るためのラベルはり機であって、容器の側面の曲面に沿うように湾曲された台座１と、台座に容器をセットした状態で、容器の側面に当ててラベルを貼る位置を確認するための透光性を有するルーラー３と、台座とルーラーとを折曲自在につなぐ接続部と、前記ルーラーに沿ってスライド自在に連結され、ラベルを裏面側に配置した状態で、ラベルと共に前記ルーラーに沿って移動可能としたリーダー４を備える。【選択図】図３【図１】
0006055142.tif 000002
【図２】
0006055142.tif 000003
【図３】
0006055142.tif 000004
【図４】
0006055142.tif 000005
【図５】
0006055142.tif 000006
【図６】
0006055142.tif 000007
【図７】
0006055142.tif 000008
【図８】
0006055142.tif 000009
【図９】
0006055142.tif 000010
【図１０】
0006055142.tif 000011